(57)【要約】      （修正有）【課題】使い捨て形式のため衛生的で、人体に無害で、料理と片付けの時間を短縮でき、水資源の節約、洗浄場が近くにない時も利用しやすいまな板を提供する。【解決手段】まな板は、下記（１）、（２）、（３）、の構成とする。（１）まな板本体の基盤Ａとなる耐久性に優れた板。（２）まな板基盤Ａの上に載せる多重層シートＢ。（３）まな板基盤Ａと多重層シートＢを結合する器具あるいは接続点Ｆ。多重層シートＢに剥がしやすいツメやタブＣが付いており、まな板本体基盤Ａと多重層シートＢを結合する器具あるいは接続点Ｆはリング形式などの開閉式のもので、多重層シートＢを入れ替え可能である。【選択図】図１
0003217410.tif 000002
【実用新案登録請求の範囲】
【請求項１】
通常のキッチン用品「まな板」に粘着させたはがせる複数枚シート
【請求項２】
請求項１のはがせる複数枚シートは養生テープやマスキングテープのように、容易に剥がせること。再度粘着の必要はないが、別売りの多重層シートを購入することで、再度ベースとなるまな板を捨てずに繰り返し利用できる。また、この多重層シートは素材の種類を問わない。
【請求項３】
人体に無害の糊を使用していること（できれば有機物等であること、かつ衛生的であること）
【請求項４】
まな板の四隅や最低でも片隅一片には人の手ではがしやすい設計の施された工夫のシートの折り曲げや非粘着部分の「ツメ」や「タブ」があること。
【請求項５】
請求項４の人の手ではがしやすい設計の施された非粘着シート部分は、タグのように、シートごとにタグの箇所を変えておくことで一回でさっと剥がしやすいような工夫のものは全て含むものとする。
【請求項６】
この考案は業務用の大きいサイズのものも極小サイズのものも含むものとし、まな板本体の厚さやデザイン性は問わない。
【考案の詳細な説明】
【技術分野】
【０００１】本考案は、キッチン用品「まな板」に人体に無害のビニールやポリエチレン、ポリエステル、プラスチック、耐水ペーパーなどのはがせるシートを付着させた「はがせるまな板」に関するものである。
【背景技術】
【０００２】まな板は従来、毎度中性洗剤などで水やお湯で流しながら洗うというスタイルをとっていた。とても面倒で洗い残しと汚れが残りやすい弱点があった。
【先行技術文献】
【特許文献】
【特許文献１】
【特許文献２】
【非特許文献】
【非特許文献１】
【非特許文献２】
【考案の概要】
【考案が解決しようとする課題】
【０００３】解決しようとする問題点は、主にまな板に残りやすい雑菌問題や洗う手間と洗浄に時間がかかる点と利便性である。
【課題を解決するための手段】
【０００４】  本考案は、まな板に衛生的かつはがせるシートを粘着することを最も主要な特徴とし、剥がしやすいデザイン設計にしてあることが本品の特徴であり、粘着糊は人体に無害なものを使用するという特徴がある。
【考案の効果】
【０００５】本考案のはがせるまな板は、剥がしやすく使い捨て形式のため衛生的で、人体に無害、料理と片付けの時間を短縮でき、水資源の節約、洗浄場が近くにない時も利用しやすいという利点があり、剥がす箇所を剥がしやすいデザイン設計にすることで、剥がしにくい問題点も簡単にクリアできる。
【図面の簡単な説明】
【０００６】
【図１】および
【図２】は、はがせるまな板の仕様を説明した図面である。
【考案を実施するための形態】
【０００７】まな板にはがせるタイプの複数枚シートを重ねて多重に貼り付けて生産することで、使用時には、本品使用後、基礎となるまな板部分からシートを剥がし、めくって捨てることで新しいシートを利用できる。
【０００８】  シートの素材は問わないが人体に無害であることが条件である。
【０００９】  剥がす箇所はタブ形式になってめくりやすくなっているか、角などに一箇所の設計でも、剥がしやすいような「ツメ」があることである。
【産業上の利用可能性】
【００１０】一般家庭はもちろん、飲食店や調理場、給食センターや食品工場などでも利用を積極的に推進できる商品である。
【符号の説明】
【００１１】  Ａ    まな板（本体ベース）
Ｂ    剥がせる多重層シート
Ｃ    はがしやすい設計の非粘着タイプ「ツメ」や「タブ」
Ｄ    人体に無害の粘着糊
Ｅ    はがしやすいシート折り目
【図１】
0003217410.tif 000003
【図２】
0003217410.tif 000004
【手続補正書】
【提出日】平成30年3月5日(2018.3.5)
【手続補正１】
【補正対象書類名】実用新案登録請求の範囲
【補正対象項目名】全文
【補正方法】変更
【補正の内容】
【実用新案登録請求の範囲】
【請求項１】
通常のキッチン用品「まな板（カッティングボード）」に多重層シートを組み合わせた「はがせるまな板」、あるいは「めくれるまな板」、「多重層まな板」、「マルチレイヤーカッティングボード」であり、図１および図２の全ての形式を全て含むものとする。
【請求項２】
請求項１の多重層シートは養生テープやマスキングテープのように、容易に剥がせるタイプのものを含む。再度粘着の必要はないが、別売りの多重層シートを購入することで、再度ベースとなるまな板を捨てずに繰り返し利用できる。また、この多重層シートは素材の種類を問わない。
【請求項３】
本商品に糊や接着剤を使用し、食品と人体の衛生に関わる場合は人体に無害の糊や接着剤を使用していること（できれば有機物等であること、かつ衛生的であること）。
【請求項４】
まな板の四隅や最低でも片隅一片には人の手ではがしやすい設計の施された工夫のシートの折り曲げや非粘着部分の「ツメ」や「タブ」があること。
【請求項５】
請求項４の人の手でめくりやすい設計の施された箇所は、タグのように、シートごとにタグの箇所を変えておくことで一回でさっとめくりやすいような工夫のものは折り目設計やタブ式設計など全て含むものとする。
【請求項６】
この考案は業務用の大きいサイズのものも極小サイズのものも含むものとし、まな板本体の厚さやデザイン性は問わない。
【請求項７】
多重層シートは図１および図２のようにカット線にて分割が可能なタイプも含むものとし、分割しやすい点線などの切れ目や分割カットしやすい工夫がなされているものを含むものとする。
【請求項８】
多重層シートはリング式や一部粘着式など、粘着しないタイプの多重層シートから粘着させて剥がしてめくるタイプのものまで全て含むものとし、まな板の本体基盤に一体化させた多重層シートタイプのものは全て含むものとする。
【請求項９】
本体まな板に通すリングは、開閉式であるものを含むものとし、シートの順番を入れ替えたり、別売りの多重層シートを入れ替えることもできるものを含むものとする。
【請求項１０】
多重層シートは、包丁で食材をカットしても切れにくい素材のものを採用するものとする。
【手続補正２】
【補正対象書類名】明細書
【補正対象項目名】全文
【補正方法】変更
【補正の内容】
【考案の詳細な説明】
【技術分野】
【０００１】本考案は、キッチン用品「まな板」（カッティングボード）に人体に無害のビニールやポリエチレン、ポリエステル、プラスチック、耐水ペーパーなどのめくれる多重層シートを一体化させて剥がしたりめくったりして使い捨て方式で利用するカッティングボードに関するものである。
【背景技術】
【０００２】まな板は従来、毎度中性洗剤や漂白剤などで水やお湯で流しながら洗うというスタイルをとっており、とても面倒で洗い残しと汚れが残りやすい弱点があり、また、大きなまな板を使用の際は特に、一部だけ使用しても全体を洗わなければならず、大きくて分厚いまな板や場所をとるまな板の洗浄が面倒で大変であった。
【考案の概要】
【課題を解決するための手段】
【０００３】本考案は、まな板に衛生的でめくったり剥がしたりできるシートを一体化させることを最も主要な特徴とし、めくりやすく剥がしやすいデザイン設計にしてあることが本品の特徴であり、多重層シートは別売りのものを購入することで、本体基盤であるまな板部分を捨てずに再利用できる。粘着糊や接着剤などを人体の健康に関わる部分に使用する場合は、無害なものを利用するという特徴がある。
【考案の効果】
【０００４】本考案のマルチレイヤーカッティングボードは、めくりやすく剥がしやすい使い捨て形式のため衛生的で、人体に無害、料理と片付けの時間を短縮でき、水資源の節約、洗浄場が近くにない時も利用しやすいという利点があり、めくる箇所をめくりやすいデザイン設計にすることで、めくりにくい問題点も簡単にクリアでき、また、シートを部分カットできる設計を採用することで、無駄なシート利用も妨げ、別売りのマルチレイヤーシートを購入することでシートが無くなっても追加して使えるので効率性および経済性に優れる。
【図面の簡単な説明】
【０００５】
【図１】は、マルチレイヤーカッティングボードの仕様を説明した図面である。
【図２】は、マルチレイヤーカッティングボードの仕様を説明した図面である。
【考案を実施するための形態】
【０００６】まな板にめくるタイプの多重層シートをリングや接着剤・糊などで一体化生産することで、使用時には、本品使用後、めくって捨てることで洗浄することなく新しいシートを利用できる。
【０００７】シートの素材は問わないが人体に無害であることが条件である。
【０００８】剥がす箇所はタブ形式になってめくりやすくなっているか、角などに一箇所の設計でも、剥がしやすいような「ツメ」があることである。
【産業上の利用可能性】
【０００９】一般家庭はもちろん、飲食店や調理場、給食センターや食品工場などでも利用を積極的に推進できる商品である。
【符号の説明】
【００１０】Ａ    まな板（本体基盤）（丸や四角などのリングを通す穴付きのものを含む）
Ｂ    めくったりカット線で切って使う多重層シート
Ｃ    めくりやすい設計の非粘着タイプ「ツメ」や「タブ」
Ｄ    人体に無害の粘着糊や接着剤
Ｅ    めくりやすいシート折り目
Ｆ    まな板本体に空いた穴に通す丸や四角などのリング（開閉可能なものを含む）
Ｇ    まな板本体と多重層シートに空けた穴
Ｈ    多重層シートに設けた切り込みやカットガイド線
【手続補正４】
【補正対象書類名】図面
【補正対象項目名】全図
【補正方法】変更
【補正の内容】
【図１】
0003217410.tif 000005
【図２】
0003217410.tif 000006
【手続補正書】
【提出日】平成30年5月23日(2018.5.23)
【手続補正１】
【補正対象書類名】実用新案登録請求の範囲
【補正対象項目名】全文
【補正方法】変更
【補正の内容】
【実用新案登録請求の範囲】
【請求項１】
（１）まな板本体の基盤となる耐久性に優れた板
（２）まな板基盤の上に載せる多重層シート
（３）まな板基盤と多重層シートを結合する器具あるいは接続点
下記の構成から成ることを特徴とするまな板
【請求項２】
多重層シートのうち１枚がそれぞれ複数に分割カットできるもので分割カットしやすいカット線が入っている請求項１記載のまな板
【請求項３】
多重層シートに剥がしやすいツメやタブが付いている請求項１記載のまな板
【請求項４】
まな板本体基盤と多重層シートを結合する器具あるいは接続点がリング形式などの開閉式のもので多重層シートを入れ替え可能な請求項１記載のまな板。